(57)【特許請求の範囲】
【請求項１】
インスツルメントホースがインスツルメントホルダーより垂下される形式のインスツルメントホルダーに取り付けられて、前記インスツルメントホースの自重による戻り力を押えるための歯科用インスツルメントホース係止具であって、該係止具は、下部にインスツルメントホースが挿通されるインスツルメントホース挿通路を有し、上部に回動可能に取り付けられた重りと、該重りをロック・アンロック操作するロック・アンロック操作部材とを有し、治療開始に当り、インスツルメントホースをインスツルメントホルダーから引き出す時、該インスツルメントホースの操作により前記重りをアンロックし、該重りの自重により前記インスツルメントホースを押え、治療終了に当り、該インスツルメントホースの操作により前記重りをロック状態にし、該重りを前記インスツルメントホースから離した状態にすることを特徴とする歯科用インスツルメントホース係止具。
【請求項２】
前記重りに切り欠き部を有し、前記ロック・アンロック部材に前記切り欠き部に係合する突起部を有し、前記切り欠き部と突起部とを係合させて前記重りを前記ロック状態にし、前記係合を解除して前記重りを前記アンロック状態にすることを特徴とする請求項１に記載の歯科用インスツルメントホースの係止具。
【請求項３】
前記ロック・アンロック操作部材はばね力を有し、インスツルメントホース引き出し時、該インスツルメントホースによって、該ロック・アンロック操作部材をそのばね力に抗して押し戻して、前記重りの切り欠き部との係合を解除するようにしたことを特徴とする請求項１又は２に記載の歯科用インスツルメントホース係止具。
【請求項４】
前記重りは該重りより下方に延長するロック操作部材を一体的に有し、該ロック操作部材を前記インスツルメントホースに固定されたロック具によって押して前記重りを回動して押し上げ、該重りの前記切り欠き部を前記ロック・アンロック操作部材の突起部に係合させるようにしたことを特徴とする請求項１乃至３のいずれかに記載のインスツルメントホース係止具。
【発明の詳細な説明】
【０００１】
【発明の属する技術分野】
本発明は、歯科用インスツルメントホース係止具、より詳細には、インスツルメントホースをインスツルメントホルダーより垂下して使用する型式のインスツルメントホルダーに適用して、施術中、該垂下したインスツルメントホースの自重による引き戻し力が、術者の持つインスツルメントにかからないように該インスツルメントホースを保持して、施術中の術者に負担がかからないようにした歯科用インスツルメントホース係止具に関する。
【０００２】
【従来の技術】
図３は、本発明によるインスツルメントホース係止具が適用される歯科ユニットのインスツルメントホルダー部の概略を示す図で、図中、１はワークテーブル、２はインスツルメントホルダー、３は、例えば、マイクロエンジン，エアータービン，シリンジ等の歯科治療用インスツルメント、４は各インスツルメントに電気，エアー，水等を供給するためのインスツルメントホースで、本発明が適用されるインスツルメントホルダー２においては、インスツルメントホース４は、図示のように、インスツルメントホルダー２から垂れ下した状態にあり、歯科治療に当り、術者が所望のインスツルメント３をインスツルメントホルダー２から引き出すと、そのインスツルメント３と一緒にインスツルメントホース４も引き出される。
【０００３】
【発明が解決しようとする課題】
上述のごとき、インスツルメントホースをインスツルメントホルダーより垂下する型式のインスツルメントホルダーを使用する場合、術者がインスツルメントホルダー２から治療に必要なインスツルメント３を引き出すと、それと一緒にインスツルメントホース４も引き出されるが、この引き出されたインスツルメントホースは、その自重により元の位置に戻ろうとして、インスツルメントを持って治療している術者の手にその引き戻しが働き、術者に負担がかかる。
【０００４】
本発明は、上述のごとき実情に鑑みてなされたもので、特に、インスツルメントホースを垂れ下して保持するインスツルメントホルダーに適用し、該インスツルメントホルダーよりインスツルメントを引き出した時に、該引き出されたインスツルメントと一緒に引き出されたインスツルメントホースの自重による引き戻し力が働かないように該インスツルメントホースを係止して、インスツルメントを持った施術者の手に前記インスツルメントホースの引き戻し力による力がかからないようにするとともに、その係止が施術の妨げとならないようにして、術者に負担のかからない歯科用インスツルメントホース係止具を提供することを目的としてなされたものである。
【０００５】
【課題を解決するための手段】
請求項１の発明は、インスツルメントホースがインスツルメントホルダーより垂下される形式のインスツルメントホルダーに取り付けられて、前記インスツルメントホースの自重による戻り力を押えるための歯科用インスツルメントホース係止具であって、該係止具は、下部にインスツルメントホースが挿通されるインスツルメントホース挿通路を有し、上部に回動可能に取り付けられた重りと、該重りをロック・アンロック操作するロック・アンロック操作部材とを有し、治療開始に当り、インスツルメントホースをインスツルメントホルダーから引き出す時、該インスツルメントホースの操作により前記重りをアンロックし、該重りの自重により前記インスツルメントホースを押え、治療終了に当り、該インスツルメントホースの操作により前記重りをロック状態にし、該重りを前記インスツルメントホースから離した状態にすることを特徴としたものである。
【０００６】
請求項２の発明は、請求項１の発明において、前記重りに切り欠き部を有し、前記ロック・アンロック部材に前記切り欠き部に係合する突起部を有し、前記切り欠き部と突起部とを係合させて前記重りを前記ロック状態にし、前記係合を解除して前記重りを前記アンロック状態にすることを特徴としたものである。
【０００７】
請求項３の発明は、請求項１又は２の発明において、前記ロック・アンロック操作部材はばね力を有し、インスツルメントホース引き出し時、該インスツルメントホースによって、該ロック・アンロック操作部材をそのばね力に抗して押し戻して、前記重りの切り欠き部との係合を解除するようにしたことを特徴としたものである。
【０００８】
請求項４の発明は、請求項１乃至３のいずれかの発明において、前記重りは該重りより下方に延長するロック操作部材を一体的に有し、該ロック操作部材を前記インスツルメントホースに固定されたロック具によって押して前記重りを回動して押し上げ、該重りの前記切り欠き部を前記ロック・アンロック操作部材の突起部に係合させるようにしたことを特徴としたものである。
【０００９】
【発明の実施の形態】
図１は、本発明による歯科用インスツルメントホース係止具の一実施例を説明するための要部構成図で、図中、１０は本発明による歯科用インスツルメントホース係止具（以下、ホース係止具と略称する）、２０は歯科用インスツルメントホース（以下、ホースと略称する）で、係止具１０は、例えば、インスツルメントホルダー３０等の上に取り付けられる。ホース２０の一端２０ａ側には、周知のように、歯科治療用インスツルメント、例えば、マイクロエンジンハンドピース，エアータービンハンドピース，シリンジ等が取り付けられ、他端２０ｂ側は、例えば、ワンタッチコネクタ等を介して電源，圧縮エアー源，水圧源等に接続されるようになっており、途中に、ホース２０の径より大きい径のロック操作具２１が取り付けられている。
【００１０】
図２（Ａ）は、ホース係止具１０を、インスツルメント側（図１の矢視Ｐ側）から見た図、図２（Ｂ）は背面側から見た図（図１の矢視Ｑ側から見た図）で、２枚の側板１１ａ，１１ｂは、少なくともホース２０の径より大きな間隔Ｌ１をもって一体的に固定され、下部には、ホース２０の移動を滑らかにするためのローラ１８ａ，１８ｂが設けられ、ホース２０は、このローラ１８ａ，１８ｂの上を矢印Ａ及びＢ方向に移動するようになっている。ホース係止具１０の上部には、ホース係止用の重り１２が軸１３を中心に回動自在に設けられており、ロック・アンロック操作部材１５によって、常時は、図１（Ａ）に示す位置に保持されている。すなわち、図１（Ｂ）に明確に示されているように、重り１２にはロック用の切り欠き部１２ａが設けられ、ロック・アンロック操作部材１５には該切り欠き部１２ａに係合する突起部１５ａが設けられており、これら切り欠き部１２ａと突起部１５ａが、図１（Ａ）に示したように係合し、重り１２は、図１（Ａ）に示した位置に保たれている。
【００１１】
ロック・アンロック操作部材１５は、水平片部１５１と垂直片部１５２とからなるＬ字形状をしており、水平片部である上片部１５１は、例えば、図示のように、後端部側で、固定部材１６によって、ホース係止具１０本体に一体的に取り付けられ、垂直片部である前方片１５２は略垂直に垂下し、先端１５ｂはホース２０と接触した時に、該ホース２０を傷付けないように、例えば、図示のように、円弧状１５ｂに形成されており、折り曲げ部である１５ｃ部は、ばねの作用をするようになっている。
【００１２】
重り１２の後部には、ロック操作片１４が一体的に取り付けられており、該ロック操作片１４の下端側は、図１（Ｂ）に示すように、ホース２０の径より大きく、ロック操作具２１の径より小さい、換言すれば、ホース２０の挿通は許すが、ロック操作具２１の挿通は許さない大きさの、切り欠き１４ａを有する。また、ロック・アンロック操作部材１５の垂下部１５２の下端は、ホース２０の挿通を許す程度に下方に垂下しており、これにより、ホース２０は、本発明によるホース係止具１０の下部を挿通できるようになっている。
【００１３】
図１（Ａ）は、ホース２０の先端に装着されたインスツルメント（図示せず）がインスツルメントホルダー（図示せず）に載置されている時の（つまり、インスツルメントを使用していない時の）、本発明によるホース係止具の状態を示す要部断面図で、この時、重り１２の切り欠き部１２ａは、ロック・アンロック操作部材１５の突起部１５ａと係合しており、重り１２はホース２０から離れている。
【００１４】
図１（Ｂ）は、術者が治療を始めようとして、インスツルメントホルダーからインスツルメントを取り上げる時の様子を示す図で、インスツルメントホルダーは、一般的には、術者の施術位置より低い位置にあり、そのため、術者は、インスツルメントをインスツルメントホルダーより上方に向けて取り出すので、そのとき、ホース２０は、図１（Ｂ）に示すように、上向きになり、ロック・アンロック操作部材１５の下端部１５ｂに当り、該下端部１５ｂを該ロック・アンロック操作部材１５のばね力に抗して上方に押し上げる。これにより、該ロック・アンロック操作部材１５に一体的に設けられている突起部１５ａが重り１２の切り欠き部１２ａから外れ、重り１２は、その自重により、軸１３を中心に矢印Ｃ方向に回転し、先端１２ｂ部が、図１（Ｃ）に示すように、ホース２０に当り、ホース２０を軽く押える。従って、術者は、この図１（Ｃ）に示した状態で治療を行うことができるが、その際、ホース２０は重り１２で軽く押えられているので、ホースの重さによる戻り力が術者の手に加わらず、術者は、略インスツルメントの重さのみで施術することができ、術者の負担を軽減することができる。特に、本発明においては、ホース２０を完全にロックしてしまうものではないため、チョイだしが可能で、非常に使い勝手がよい。
【００１５】
図１（Ｃ）は、施術が終って、インスツルメントをインスツルメントホルダーに戻す時の様子を説明するための図で、施術終了後、術者がインスツルメントホース２０を矢印Ａ方向に引くと、該インスツルメントホース２０に一体的に取り付けられているロック操作具２１が、ロック操作片１４に当り、該ロック操作片１４を軸１３を中心に矢印Ｄ方向に回転し、重り１２をロック・アンロック操作部材１５のばね力に抗して図１（Ａ）に示した状態まで戻し、重り１２の切り欠き部（ロック溝）１２ａとロック・アンロック操作部材１５の突起部１５ａが係合して、図１（Ａ）に示した状態となり、この状態で、インスツルメントをインスツルメントホルダーに戻す。以降、同様の操作により、治療を行う。
【００１６】
なお、本発明において、重り１２の重さ、重りとホースとの摩擦、重り１２のホースとの接触部の材質等は、設計上、当然に、術者の使いやすさ等を考慮すべき事項であるので、詳細な説明は省略する。
また、１１ａ′，１１ｂ′は、既存のインスツルメントホルダーに取り付ける場合の固定部片であるが、新規製作のインスツルメントホルダーにおいては、最初から一体的に組み込んでしまうので、必ずしも必要ではない。
【００１７】
【発明の効果】
以上の説明から明らかなように、本発明によると、重りの重さを利用した比較的簡単かつ安価な構成で、施術中、術者の手にかかるインスツルメントホースの戻り力を軽減することができ、しかも、施術中、チョイ出しが容易なインスツルメントホース係止具を提供することができる。また、既存のインスツルメントホルダーに簡単に取り付けるようにすることもできる、等の利点がある。
【図面の簡単な説明】
【図１】本発明による歯科用インスツルメントホース係止具の一実施例を説明するための各状態図である。
【図２】本発明による歯科用インスツルメントホース係止具の一実施例を説明するための前面図及び背面図である。
【図３】本発明による歯科用インスツルメントホース係止具が適用される歯科ユニットのインスツルメントホルダー部の一例を説明するための概略構成図である。
【符号の説明】
１０…インスツルメントホース係止具、１１ａ，１１ｂ…側板、１２…重り、１３…重りの回転軸、１４…ロック操作部片、１５…ロック・アンロック操作部材、１６…ロック・アンロック操作部材固定具、１８ａ，１８ｂ…ローラ、２０…インスツルメントホース、２１…ロック操作具、３０…インスツルメントホルダー。
【図１】
0003628301.tif 000002
【図２】
0003628301.tif 000003
【図３】
0003628301.tif 000004